(57)【特許請求の範囲】
【請求項１】
時分割複信（ＴＤＤ）ロングタームエボリューション（ＬＴＥ）ベースのネットワークにおけるワイヤレス通信の方法であって、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
を備える、方法。
【請求項２】
前記基準サブフレームは、前記Ａ−ＣＳＩ報告アップリンクサブフレームよりいくつかのサブフレーム前に配置され、前記いくつかのサブフレームは、前記第１の遅延値または前記第２の遅延値のいずれかに基づく、請求項１に記載の方法。
【請求項３】
前記基準遅延の前記第１の遅延値は４つのサブフレームに対応する、請求項２に記載の方法。
【請求項４】
前記チャネルおよび前記干渉は、前記報告遅延が４つのサブフレームに対応するとき、前記基準サブフレームにおいて測定され、前記基準サブフレームは、前記Ａ−ＣＳＩ要求ダウンリンクサブフレームに対応する、請求項１に記載の方法。
【請求項５】
前記チャネルおよび干渉は、前記固定サブフレームである前記基準サブフレームの前記タイプに基づいて測定される、請求項４に記載の方法。
【請求項６】
前記基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ報告アップリンクサブフレームより４サブフレーム前に配置される、請求項１に記載の方法。
【請求項７】
前記チャネルおよび干渉は、前記フレキシブルサブフレームである前記基準サブフレームの前記タイプに基づいて測定される、請求項６に記載の方法。
【請求項８】
前記チャネルは、前記Ａ−ＣＳＩ要求ダウンリンクサブフレームにおいて測定され、前記干渉は、前記Ａ−ＣＳＩ報告アップリンクサブフレームより４サブフレーム前に配置される前記基準サブフレームにおいて測定される、請求項６に記載の方法。
【請求項９】
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定される、請求項８に記載の方法。
【請求項１０】
前記基準サブフレームは、前記報告遅延が４つのサブフレームよりも大きく、前記Ａ−ＣＳＩ報告アップリンクサブフレームより４サブフレーム前に配置されるサブフレームがアップリンクサブフレームまたはマルチキャストブロードキャスト単一周波数ネットワーク（ＭＢＳＦＮ）サブフレームであるとき、前記Ａ−ＣＳＩ要求ダウンリンクサブフレームに対応する、請求項１に記載の方法。
【請求項１１】
前記チャネルおよび干渉は、固定サブフレームである前記Ａ−ＣＳＩ要求ダウンリンクサブフレームの前記タイプに基づいて測定される、請求項１０に記載の方法。
【請求項１２】
前記Ａ−ＣＳＩ報告アップリンクサブフレームと前記報告遅延とに基づいて第２のチャネルまたは第２の干渉のうちの少なくとも１つを測定することを決定することと、
前記Ａ−ＣＳＩ要求ダウンリンクサブフレームに基づいて第２の基準サブフレームのロケーションを決定することと、
前記第２の基準サブフレームに基づいて前記第２のチャネルまたは前記第２の干渉のうちの少なくとも１つを測定することと
をさらに備える、請求項１に記載の方法。
【請求項１３】
前記第２のチャネルまたは前記第２の干渉のうちの前記少なくとも１つを測定することの前記決定は、前記Ａ−ＣＳＩ要求ダウンリンクサブフレームのロケーションにさらに基づく、請求項１２に記載の方法。
【請求項１４】
前記Ａ−ＣＳＩ報告アップリンクサブフレームにおいて送られた前記Ａ−ＣＳＩ報告は、前記チャネルまたは前記干渉のうちの前記少なくとも１つと、前記第２のチャネルまたは前記第２の干渉のうちの前記少なくとも１つとに基づくチャネル品質インジケータ（ＣＱＩ）を含む、請求項１２に記載の方法。
【請求項１５】
前記基準遅延は、４つのサブフレームに対応し、前記第２の基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ要求ダウンリンクサブフレームである、請求項１２に記載の方法。
【請求項１６】
前記チャネルおよび前記干渉は、前記フレキシブルサブフレームである前記基準サブフレームの前記タイプに基づいて測定され、前記第２のチャネルおよび前記第２の干渉は、前記固定サブフレームである前記第２の基準サブフレームのタイプに基づいて測定され、前記第２の基準サブフレームは、前記Ａ−ＣＳＩ要求ダウンリンクサブフレームに対応する、請求項１５に記載の方法。
【請求項１７】
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定され、前記第２のチャネルおよび前記第２の干渉は、前記固定サブフレームである前記第２の基準サブフレームのタイプに基づいて測定され、前記第２の基準サブフレームは、前記Ａ−ＣＳＩ要求ダウンリンクサブフレームに対応する、請求項１５に記載の方法。
【請求項１８】
時分割複信（ＴＤＤ）ロングタームエボリューション（ＬＴＥ）ベースのネットワークにおけるワイヤレス通信のための装置であって、
メモリと、
前記メモリに結合された少なくとも１つのプロセッサとを備え、
前記少なくとも１つのプロセッサは、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
を行うように構成された、装置。
【請求項１９】
前記基準サブフレームは、前記Ａ−ＣＳＩ報告アップリンクサブフレームよりいくつかのサブフレーム前に配置され、前記いくつかのサブフレームは、前記第１の遅延値または前記第２の遅延値のいずれかに基づく、請求項１８に記載の装置。
【請求項２０】
前記チャネルおよび前記干渉は、前記報告遅延が４つのサブフレームに対応するとき、前記基準サブフレームにおいて測定され、前記基準サブフレームは、前記Ａ−ＣＳＩ要求ダウンリンクサブフレームに対応する、請求項１８に記載の装置。
【請求項２１】
前記チャネルおよび干渉は、前記固定サブフレームである前記基準サブフレームの前記タイプに基づいて測定される、請求項２０に記載の装置。
【請求項２２】
前記基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ報告アップリンクサブフレームより４サブフレーム前に配置される、請求項１８に記載の装置。
【請求項２３】
前記チャネルおよび干渉は、前記フレキシブルサブフレームである前記基準サブフレームの前記タイプに基づいて測定される、請求項２２に記載の装置。
【請求項２４】
前記チャネルは、前記Ａ−ＣＳＩ要求ダウンリンクサブフレームにおいて測定され、前記干渉は、前記Ａ−ＣＳＩ報告アップリンクサブフレームより４サブフレーム前に配置される前記基準サブフレームにおいて測定される、請求項２２に記載の装置。
【請求項２５】
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定される、請求項２４に記載の装置。
【請求項２６】
前記基準サブフレームは、前記報告遅延が４つのサブフレームよりも大きく、前記Ａ−ＣＳＩ報告アップリンクサブフレームより４サブフレーム前に配置されるサブフレームがアップリンクサブフレームまたはマルチキャストブロードキャスト単一周波数ネットワーク（ＭＢＳＦＮ）サブフレームであるとき、前記Ａ−ＣＳＩ要求ダウンリンクサブフレームに対応する、請求項１８に記載の装置。
【請求項２７】
前記チャネルおよび干渉は、固定サブフレームである前記Ａ−ＣＳＩ要求ダウンリンクサブフレームの前記タイプに基づいて測定される、請求項２６に記載の装置。
【請求項２８】
前記少なくとも１つのプロセッサは、
前記Ａ−ＣＳＩ報告アップリンクサブフレームと前記報告遅延とに基づいて第２のチャネルまたは第２の干渉のうちの少なくとも１つを測定することを決定することと、
前記Ａ−ＣＳＩ要求ダウンリンクサブフレームに基づいて第２の基準サブフレームのロケーションを決定することと、
前記第２の基準サブフレームに基づいて前記第２のチャネルまたは前記第２の干渉のうちの少なくとも１つを測定することと
を行うようにさらに構成された、請求項１８に記載の装置。
【請求項２９】
時分割複信（ＴＤＤ）ロングタームエボリューション（ＬＴＥ）ベースのネットワークにおけるワイヤレス通信のための装置であって、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定するための手段と、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定するための手段と、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定するための手段と、
前記Ａ−ＣＳＩ報告アップリンクサブフレームにおいて、前記チャネルまたは前記干渉のうちの前記少なくとも１つに基づくＡ−ＣＳＩ報告を送るための手段と
を備える、装置。
【請求項３０】
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
をプロセッサに実行させるためのコードを記録した、コンピュータ読み取り可能な記録媒体。
【発明の詳細な説明】
【技術分野】
【０００１】
関連出願の相互参照
[0001]本出願は、その全体が参照により本明細書に明確に組み込まれる、２０１４年１月２４日に出願された「APERIODIC CQI REPORTING FOR LTE-TDD EIMTA SYSTEM」と題するＰＣＴ出願第ＰＣＴ／ＣＮ２０１４／００００９４号の利益を主張する。
【０００２】
[0002]本開示は、一般に通信システムに関し、より詳細には、チャネル品質インジケータ報告に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、時分割複信（ＴＤＤ）ロングタームエボリューション（ＬＴＥ）ベースのネットワークにおけるワイヤレス通信のためのものであり得る。本装置は、非周期チャネル状態情報（Ａ−ＣＳＩ：aperiodic channel state information）報告アップリンクサブフレームと、Ａ−ＣＳＩ要求ダウンリンクサブフレームと、基準遅延と、報告遅延とに基づいて、基準サブフレームのロケーションを決定する。一態様では、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。本装置は、基準サブフレームのロケーションとサブフレーム構成とに基づいて基準サブフレームのタイプを決定し、基準サブフレームのタイプはフレキシブルサブフレームまたは固定サブフレームである。本装置は、基準サブフレームと基準サブフレームのタイプとに基づいてチャネルまたは干渉のうちの少なくとも１つを測定する。本装置は、Ａ−ＣＳＩ報告アップリンクサブフレームにおいて、チャネルまたは干渉のうちの少なくとも１つに基づくＡ−ＣＳＩ報告を送る。
【０００６】
[0006]別の態様では、本装置は、メモリと、メモリに結合された少なくとも１つのプロセッサとを含む。少なくとも１つプロセッサは、Ａ−ＣＳＩ報告アップリンクサブフレームと、Ａ−ＣＳＩ要求ダウンリンクサブフレームと、基準遅延と、報告遅延とに基づいて、基準サブフレームのロケーションを決定することと、ここで、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である、基準サブフレームのロケーションとサブフレーム構成とに基づいて基準サブフレームのタイプを決定することと、基準サブフレームのタイプはフレキシブルサブフレームまたは固定サブフレームである、基準サブフレームと基準サブフレームのタイプとに基づいてチャネルまたは干渉のうちの少なくとも１つを測定することと、Ａ−ＣＳＩ報告アップリンクサブフレームにおいて、チャネルまたは干渉のうちの少なくとも１つに基づくＡ−ＣＳＩ報告を送ることとを行うように構成される。
【０００７】
[0007]別の態様では、本装置は、Ａ−ＣＳＩ報告アップリンクサブフレームと、Ａ−ＣＳＩ要求ダウンリンクサブフレームと、基準遅延と、報告遅延とに基づいて、基準サブフレームのロケーションを決定するための手段を含む。一態様では、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。本装置は、基準サブフレームのロケーションとサブフレーム構成とに基づいて基準サブフレームのタイプを決定するための手段を含み、基準サブフレームのタイプはフレキシブルサブフレームまたは固定サブフレームである。本装置は、基準サブフレームと基準サブフレームのタイプとに基づいてチャネルまたは干渉のうちの少なくとも１つを測定するための手段を含む。本装置は、Ａ−ＣＳＩ報告アップリンクサブフレームにおいて、チャネルまたは干渉のうちの少なくとも１つに基づくＡ−ＣＳＩ報告を送るための手段を含む。
【０００８】
[0008]別の態様では、コンピュータ実行可能コードを記憶するコンピュータ可読媒体が提供され得る。本コンピュータ可読媒体は、Ａ−ＣＳＩ報告アップリンクサブフレームと、Ａ−ＣＳＩ要求ダウンリンクサブフレームと、基準遅延と、報告遅延とに基づいて、基準サブフレームのロケーションを決定するためのコードを含み、ここで、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。本コンピュータ可読媒体は、基準サブフレームのロケーションとサブフレーム構成とに基づいて基準サブフレームのタイプを決定するためのコードを含み、基準サブフレームのタイプはフレキシブルサブフレームまたは固定サブフレームである。本コンピュータ可読媒体は、基準サブフレームと基準サブフレームのタイプとに基づいてチャネルまたは干渉のうちの少なくとも１つを測定するためのコードを含む。本コンピュータ可読媒体は、Ａ−ＣＳＩ報告アップリンクサブフレームにおいて、チャネルまたは干渉のうちの少なくとも１つに基づくＡ−ＣＳＩ報告を送るためのコードを含む。
【図面の簡単な説明】
【０００９】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異なるサブフレーム構成を利用する２つのセルを示す例示的な図。
【図８】サブフレーム構成における固定サブフレームおよびフレキシブルサブフレームを示す例示的な図。
【図９】ＤＬおよびＵＬ基準サブフレーム構成による、サブフレームを用いたＤＬ  ＨＡＲＱ動作およびＵＬ  ＨＡＲＱ動作の例示的なＨＡＲＱ動作の図。
【図１０】Ａ−ＣＳＩ設計の一例を示す例示的な図。
【図１１Ａ】第１の手法を示す例示的な図。
【図１１Ｂ】第１の手法を示す例示的な図。
【図１１Ｃ】第１の手法を示す例示的な図。
【図１２Ａ】第２の手法を示す例示的な図。
【図１２Ｂ】第２の手法を示す例示的な図。
【図１２Ｃ】第２の手法を示す例示的な図。
【図１３Ａ】第３の手法の第１のシナリオを示す例示的な図。
【図１３Ｂ】第３の手法の第１のシナリオを示す例示的な図。
【図１３Ｃ】第３の手法の第１のシナリオを示す例示的な図。
【図１４Ａ】第３の手法の第２のシナリオを示す例示的な図。
【図１４Ｂ】第３の手法の第２のシナリオを示す例示的な図。
【図１４Ｃ】第３の手法の第２のシナリオを示す例示的な図。
【図１５】ワイヤレス通信の方法のフローチャート。
【図１６】図１５のフローチャートから展開するワイヤレス通信の方法のフローチャート。
【図１７】例示的な装置における異なるモジュール／手段／構成要素間のデータフローを示す概念データフロー図。
【図１８】処理システムを採用する装置のためのハードウェア実装形態の一例を示す図。
【発明を実施するための形態】
【００１０】
[0027]添付の図面に関して以下に記載する発明を実施するための形態は、様々な構成を説明するものであり、本明細書で説明する概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１１】
[0028]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１２】
[0029]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0030]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１４】
[0031]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１５】
[0032]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0033]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１７】
[0034]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことができる。さらに、「ｅＮＢ」、「基地局」、および「セル」という用語は、本明細書では互換的に使用され得る。
【００１８】
[0035]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１９】
[0036]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２０】
[0037]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0038]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0039]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２３】
[0040]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２４】
[0041]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２５】
[0042]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２６】
[0043]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２７】
[0044]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２８】
[0045]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２９】
[0046]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３０】
[0047]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３１】
[0048]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３２】
[0049]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３３】
[0050]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３４】
[0051]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３５】
[0052]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３６】
[0053]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３７】
[0054]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３８】
[0055]拡張干渉管理およびトラフィック適応（ｅＩＭＴＡ：enhanced interference management and traffic adaptation）に従って、ＴＤＤ  ＤＬ／ＵＬサブフレーム構成（以下、「サブフレーム構成」）が、トラフィックニーズに基づいて動的に変更され得る。以下の表１に、例示的なサブフレーム構成を示す。
【００３９】
【表１】
0006400716.tif 000002
【００４０】
[0056]したがって、トラフィックニーズが（たとえば、短い持続時間中に）ダウンリンク上の大きいデータバーストの必要を示す場合、現在のサブフレーム構成が、より多くのＤＬサブフレームを含む別のサブフレーム構成に動的に変更され得る。たとえば、そのような場合、現在のサブフレーム構成が、６つのＤＬサブフレームと４つのＵＬサブフレームとをもつサブフレーム構成＃１である場合、サブフレーム構成は、ＤＬ上の大きいデータバーストの必要に適応するために、９つのＤＬサブフレームと１つのＵＬサブフレームとをもつ（したがって、サブフレーム構成＃１よりも多くのＤＬサブフレームを有する）サブフレーム構成＃５に変更され得る。各セルは、独立してサブフレーム構成を採用し得る。異なるサブフレーム構成を採用する複数のセルは、異なるセル中のＵＥ間の干渉をもたらし得る。たとえば、あるサブフレーム構成をもつ第１のセル中のＵＥおよび異なるサブフレーム構成をもつ第２のセル中の別のＵＥがＵＥ間干渉を受け得る。特に、たとえば、ＵＥ間干渉は、第１のセル中であるタイプの通信のために構成され、第２のセル中で別のタイプの通信のために構成されたサブフレーム中に存在し得る。したがって、たとえば、ＵＥ間干渉は、第１のセル中でＤＬサブフレームとして使用され、第２のセル中でＵＬサブフレームとして使用されるサブフレーム中に存在し得る。第１のセルと第２のセルの両方の中で同じタイプの通信（たとえば、ＵＬまたはＤＬ）のために使用されるサブフレームの場合、基地局ＵＥ間（ＢＳ−ＵＥ間）干渉が存在し得る。
【００４１】
[0057]図７は、異なるサブフレーム構成を利用する２つのセルを示す例示的な図７００である。図７では、セルＡ７２０を有するｅＮＢ  Ａ７１０がサブフレーム構成＃１  ７１２を利用する。セルＢ７６０を有するｅＮＢ  Ｂ７５０がサブフレーム構成＃２  ７５２を利用する。サブフレーム＃３または＃８において、セルＡ７２０中の第１のＵＥ７２２がｅＮＢ  Ａ７１０にＵＬ信号７３２を送り、セルＡ７２０中の第２のＵＥ７２４がＵＬ信号７３４を送る。サブフレーム＃３または＃８において、セルＢ７６０中の第３のＵＥ７６２がダウンリンク信号７７２を受信し、セルＢ７６０中の第４のＵＥ７６４がダウンリンク信号７７４を受信する。図７に示されている例では、セルＡ７２０の第２のＵＥ７２４とセルＢ７６０の第３のＵＥ７６２との間にＵＥ間干渉が存在する。サブフレーム＃３および８が、ｅＮＢ  Ａ７１０とｅＮＢ  Ｂ７５０との間の異なるタイプの通信のために構成されたフレキシブルサブフレームであるので、ＵＥ間干渉はサブフレーム＃３およびサブフレーム＃８中に存在し、ここで、サブフレーム＃３および８は、ｅＮＢ  Ａ７１０のためのＵＬサブフレームであり、ｅＮＢ  Ｂ７５０のためのＤＬサブフレームである。サブフレーム＃３および＃８以外のサブフレームの場合、通信のタイプ（たとえば、ＵＬまたはＤＬ）は、サブフレーム構成＃１  ７１２とサブフレーム構成＃２  ７５２との間で同じである。したがって、サブフレーム＃０、１、２、４、５、６、７、および９の場合、ｅＮＢ  Ａ７１０と第１のＵＥ７２２および第２のＵＥ７２４のうちの少なくとも１つとの間のＢＳ−ＵＥ間干渉が存在し得、ｅＮＢ  Ｂ７５０と第３のＵＥ７６２および第４のＵＥ７６４のうちの少なくとも１つとの間のＢＳ−ＵＥ間干渉が存在し得る。
【００４２】
[0058]図８は、サブフレーム構成における固定サブフレームおよびフレキシブルサブフレームを示す例示的な図８００である。サブフレーム＃０、１、および２は固定サブフレーム８０２である。サブフレーム＃３および４はフレキシブルサブフレームである。サブフレーム＃５および６は固定サブフレームである。サブフレーム＃７、８、および９はフレキシブルサブフレームである。固定サブフレームは、構成＃０〜６の全体にわたって同じタイプの通信のために構成される。フレキシブルサブフレームは、構成＃０〜６の全体にわたって異なるタイプの通信のために構成され得る。フレキシブルサブフレーム中の干渉は固定サブフレーム中の干渉とは異なる。たとえば、上記で説明したように、ＵＥ間干渉はフレキシブルサブフレーム中に存在し得、ＢＳ−ＵＥ間干渉は固定サブフレーム中に存在し得る。したがって、ｅＩＭＴＡでは、固定サブフレームとフレキシブルサブフレームの両方の中でチャネル状態情報（ＣＳＩ：channel state information）を測定することが望ましい。ＣＳＩが、チャネル品質インジケータ（ＣＱＩ：channel quality indicator）と、プリコーディング行列インジケータ（ＰＭＩ：precoding matrix indicator）と、ランクインジケータ（ＲＩ：rank indicator）と（たとえば、ＣＱＩ／ＰＭＩ／ＲＩ）を含み得ることに留意されたい。３ＧＰＰは、ｅＩＭＴＡにおいてＵＥのための周期ＣＱＩフィードバックと非周期ＣＱＩフィードバックの両方をサポートする。周期ＣＱＩは、特殊な構成によるｅＮＢ実装形態を介してサポートされ得る。非周期ＣＱＩは、以下で説明するようにタイムライン／基準サブフレーム設計によってサポートされ得る。
【００４３】
[0059]ＴＤＤでは、ＵＥは、サブフレームｍ＋ｋにおいて、ＵＬによって、非周期ＣＱＩを含む非周期ＣＳＩをｅＮＢに送信し得る。ここで、ｍは、ＵＥにおいてＣＳＩ要求が受信されたサブフレームを示す。ＣＳＩ要求は、１に設定されたＣＳＩ要求フィールドをもつＰＤＣＣＨ中のダウンリンク制御情報（ＤＣＩ）フォーマット０／４で受信され得る。ｋは、以下の表２に示す仕様において与えられる。したがって、たとえば、サブフレーム構成＃０の場合、ＣＳＩ要求がサブフレーム＃１（ｍ＝１）において受信された場合、ｋは６であり、したがって、非周期ＣＱＩ情報はサブフレーム＃７（ｍ＋ｋ＝７）において送信される。ＣＱＩ推定のために使用される基準サブフレームは、概して、ＵＥが（たとえば、ＤＣＩフォーマット０／４で）ＣＳＩ要求を受信したサブフレームであるサブフレームｍである。
【００４４】
【表２】
0006400716.tif 000003
【００４５】
[0060]ｅＩＭＴＡのための動作を簡略化するために、１つまたは複数のＤＬ／ＵＬサブフレーム構成は、いくつかの物理レイヤ動作のための基準構成として定義され得る。ＤＬ基準サブフレーム構成がＤＬ  ＨＡＲＱ動作のために使用され、ＵＬ基準サブフレーム構成がＵＬ  ＨＡＲＱ動作のために使用されるように、ＤＬ基準サブフレーム構成はサブフレーム構成のうちの１つに基づいて定義され得、ＵＬ基準サブフレーム構成はサブフレーム構成のうちの別の１つに基づいて定義され得る。たとえば、ＤＬ基準サブフレーム構成設計に関して、ＤＬ  ＨＡＲＱ動作は、フレーム（またはフレームの半分）中で使用中の実際のＤＬ／ＵＬサブフレーム構成にかかわらず、ＤＬ／ＵＬサブフレーム構成＃５に基づき得る。すなわち、動的ＤＬ／ＵＬサブフレーム構成が有効にされた場合、ＤＬ  ＨＡＲＱタイミングは、８つのＤＬサブフレーム（＃０、１、および３〜９）と１つのＵＬサブフレーム（＃３）とをもつサブフレーム構成＃５（たとえば、８：１ＤＬ／ＵＬサブフレーム構成）に基づき得る。ＵＬ基準サブフレーム構成設計に関して、ＵＬ  ＨＡＲＱ動作は、フレーム（またはフレームの半分）中で使用中の実際のＤＬ／ＵＬサブフレーム構成にかかわらず、ＤＬ／ＵＬサブフレーム構成＃０に基づき得る。すなわち、動的ＤＬ／ＵＬサブフレーム構成が有効にされた場合、ＵＬ  ＨＡＲＱタイミングは、４つのＤＬサブフレーム（＃０、１、５、および６）と６つのＵＬサブフレーム（＃２〜４および７〜９）とをもつサブフレーム構成＃０（たとえば、４：６ＤＬ／ＵＬサブフレーム構成）に基づき得る。
【００４６】
[0061]図９は、ＤＬおよびＵＬ基準サブフレーム構成による、サブフレーム９０１を用いたＤＬ  ＨＡＲＱ動作およびＵＬ  ＨＡＲＱ動作の例示的なＨＡＲＱ動作９００である。図９に示されている例では、ＤＬ基準サブフレーム構成はＤＬ  ＨＡＲＱ動作のためにサブフレーム構成＃５を利用し、ＵＬ基準サブフレーム構成はＵＬ  ＨＡＲＱ動作のためにサブフレーム構成＃０を利用する。したがって、サブフレーム＃０および５はＤＬ  ＨＡＲＱ動作とＵＬ  ＨＡＲＱ動作の両方のためのＤＬサブフレームとして固定され、サブフレーム＃１はＤＬ  ＨＡＲＱ動作とＵＬ  ＨＡＲＱ動作の両方のためのスペシャルサブフレームとして固定され、サブフレーム＃２はＤＬ  ＨＡＲＱ動作とＵＬ  ＨＡＲＱ動作の両方のためのＵＬサブフレームとして固定される。サブフレーム＃３、４、７、８、および９の各々は、動作がＤＬ  ＨＡＲＱ動作であるのかＵＬ  ＨＡＲＱ動作であるのかに応じてＵＬサブフレームまたはＤＬサブフレームとして使用されるＤＬ／ＵＬサブフレームである。特に、サブフレーム＃３、４、７、８、および９は、サブフレーム構成＃５に基づいてＤＬ  ＨＡＲＱ動作のためのＤＬサブフレームとして使用され、サブフレーム＃３、４、７、８、および９は、サブフレーム構成＃０に基づいてＵＬ  ＨＡＲＱ動作のためのＵＬサブフレームとして使用される。サブフレーム＃６は、動作がＤＬ  ＨＡＲＱ動作であるのかＵＬ  ＨＡＲＱ動作であるのかに応じてＤＬサブフレームまたはスペシャルサブフレームとして使用されるＤＬ／スペシャルサブフレームである。図９に示されているように、第１のＤＬ  ＨＡＲＱ動作９１１中に、ＵＥは、サブフレーム＃９、０、１、３、４、５、６、７、および８においてＤＬデータを受信し得、サブフレーム＃２（９１３）においてＵＬ応答を送信し得る。さらに、図９に示されているように、第１のＵＬ  ＨＡＲＱ動作９５１中に、ＵＥはサブフレーム＃０においてＤＬ制御を受信し、サブフレーム＃４および７において、関連付けられたＵＬ情報を送信し得る。第２のＵＬ  ＨＡＲＱ動作９５３中に、ＵＥはサブフレーム１においてＤＬ制御を受信し、サブフレーム＃７および８において、関連付けられたＵＬ情報を送信し得る。
【００４７】
[0062]非周期ＣＳＩ報告のためのタイムラインは、非周期ＣＳＩ（Ａ−ＣＳＩ）報告を送るために、ＨＡＲＱ  ＵＬ基準構成を再利用し得る。その結果、ｅＮＢは固定ＤＬサブフレーム中でＣＳＩ要求を送る。サブフレーム構成＃０がＵＬ基準構成として使用される例示的な事例では、ｅＮＢは、サブフレーム＃０、１、５および６などの固定ＤＬサブフレーム中でＣＳＩ要求を送る。図１０は、Ａ−ＣＳＩ設計の一例を示す例示的な図１０００である。図１０では、第１の時間期間１０１０から第２の時間期間１０５０に進むとき、サブフレーム構成は、第１の時間期間１０１０のサブフレーム構成＃２から第２の時間期間１０５０のサブフレーム構成＃１に変更される。サブフレーム構成＃０がＵＬ基準構成として使用されるとき、ＣＳＩ要求は、各時間期間のサブフレーム構成にかかわらず、サブフレーム＃０、１、５および／または６中で送られ得る。したがって、図１０では、第１の時間期間１０１０中に、ｅＮＢはサブフレーム＃１において第１のＡ−ＣＳＩ要求を送る。それに応答して、ＵＥは、第１の時間期間１０１０中に、サブフレーム＃１において第１のＣＳＩを測定し、その後、サブフレーム＃７において、測定された第１のＣＳＩを含む第１のＣＳＩ報告を送る。ｅＮＢはサブフレーム＃６において第２のＡ−ＣＳＩ要求を送る。それに応答して、ＵＥは、第１の時間期間１０１０中にサブフレーム＃６において第２のＣＳＩを測定し、その後、第２の時間期間１０５０中にサブフレーム＃２において、測定された第２のＣＳＩを含む第２のＣＳＩ報告を送る。
【００４８】
[0063]要約すると、ｅＮＢは、概して、固定サブフレーム中でＣＳＩ要求をＵＥに送り、ＵＥは、ＣＳＩ要求が送られる固定サブフレーム中でＣＳＩを測定する。したがって、ＣＳＩが測定される基準サブフレームは、概して、ＣＳＩ要求が送られる固定サブフレームである。たとえば、基準サブフレームにおいて、ＵＥは、ダウンリンク制御情報（ＤＣＩ）フォーマット０／４でＣＳＩ要求を受信し得る。固定サブフレーム中で測定されたＣＳＩは、次いで、ｅＮＢに報告される。したがって、ＵＥは、概して、ＣＳＩ要求が送られる固定サブフレーム中でＣＳＩを測定するので、フレキシブルサブフレーム中のＣＳＩはｅＮＢに報告されないことがあるが、固定サブフレーム中のＣＳＩはｅＮＢに報告され得る。基準サブフレームは、ＵＥがＤＣＩフォーマット０／４でトリガインジケータを受信するサブフレームであることに留意されたい。固定サブフレームにおいてならびにフレキシブルサブフレームにおいてＣＳＩを測定することを可能にするために、フレキシブルサブフレームおよび／または固定サブフレームにおいて基準サブフレームを決定するために、以下の手法が利用され得る。
【００４９】
[0064]ＵＥがＡ−ＣＳＩ要求を受信したとき、ＵＥは、チャネルおよび／または干渉を測定し、測定されたチャネルおよび／または干渉に基づいてＣＱＩ／ＰＭＩ／ＲＩを計算し、ＣＱＩ／ＰＭＩ／ＲＩを含むＡ−ＣＳＩ報告を送る。第１の手法によれば、ＣＳＩ値（たとえば、ＣＱＩ／ＰＭＩ／ＲＩ）を計算するためのチャネル測定および干渉測定は同じ基準サブフレーム中で実行され、これはＤＬサブフレームである。基準サブフレームは、サブフレーム構成に応じて、固定サブフレームまたはフレキシブルサブフレームであり得る。ＵＥは、Ａ−ＣＳＩ要求ＤＬサブフレームとＡ−ＣＳＩ報告ＵＬサブフレームとの間の報告遅延に基づいて、および／またはＡ−ＣＳＩ報告ＵＬサブフレームに基づいて、基準サブフレームのロケーションおよびタイプ（たとえば、固定サブフレームまたはフレキシブルサブフレーム）を決定し得る。基準サブフレームを決定する際の３つの事例が存在し得る。ｎがＡ−ＣＳＩ報告ＵＬサブフレームであり、ｘが報告遅延であり、ｎ−ｘがＡ−ＣＳＩ要求ＤＬサブフレームであると仮定する。基準サブフレームはｎ−ｎCQI_refとして表され得、ここで、ｎCQI_refは、基準サブフレームとＡ−ＣＳＩ報告ＵＬサブフレームとの間の基準遅延である。基準サブフレームｎ−ｎCQI_refのロケーションおよびタイプは、Ａ−ＣＳＩ報告ＵＬサブフレームｎと、Ａ−ＣＳＩ要求ＤＬサブフレームｎ−ｘと、基準遅延ｎCQI_refと、報告遅延ｘとのうちの少なくとも１つに基づいて、以下の３つの事例に従って決定され得る。
【００５０】
[0065]第１の事例では、報告遅延ｘが４つのサブフレームである場合、ｎCQI_refは４つのサブフレームである。第１の事例では、基準サブフレームｎ−ｎCQI_refはＡ−ＣＳＩ要求ＤＬサブフレームと同じであり、したがって、基準サブフレームは固定ＤＬサブフレームである。第１の事例では、ＵＥは、基準サブフレームにおいて固定サブフレームに基づいてチャネルおよび干渉を測定し、チャネル測定および干渉測定に基づく固定ＤＬサブフレームについてのＡ−ＣＳＩ報告を送る。第２の事例では、報告遅延が４つのサブフレームよりも大きく、ｎ−４に対応するサブフレームが測定のための有効なＤＬサブフレームである場合、ｎCQI_refは４つのサブフレームである。第２の事例では、基準サブフレームｎ−ｎCQI_refはフレキシブルＤＬサブフレームである。したがって、ＵＥは、基準サブフレームにおいてフレキシブルサブフレームに基づいてチャネルおよび干渉を測定し、チャネル測定および干渉測定に基づくフレキシブルＤＬサブフレームについてのＡ−ＣＳＩ報告を送る。第３の事例では、報告遅延が４つのサブフレームよりも大きく、ｎ−４に対応するサブフレームがＵＬサブフレームまたはＭＢＳＦＮサブフレームである場合、ｎCQI_refは報告遅延ｘに等しい。第３の事例では、基準サブフレームｎ−ｎCQI_refは固定ＤＬサブフレームである。したがって、ＵＥは、基準サブフレームにおいて固定サブフレームに基づいてチャネルおよび干渉を測定し、チャネル測定および干渉測定に基づく固定ＤＬサブフレームについてのＡ−ＣＳＩ報告を送る。
【００５１】
[0066]図１１Ａから図１１Ｃは、第１の手法を示す例示的な図である。図１１Ａは、第１の手法の第１の事例の一例を示す例示的な図１１００である。例示的な図１１００はサブフレーム構成＃０に基づく。Ａ−ＣＳＩ要求１１０２がサブフレーム＃０において受信され、Ａ−ＣＳＩ報告１１０４を送るためのＡ−ＣＳＩ報告ＵＬサブフレームｎがサブフレーム＃４である。図１１Ａでは、Ａ−ＣＳＩ要求１１０２とＡ−ＣＳＩ報告１１０４との間の報告遅延ｘが４つのサブフレームであるので、基準遅延ｎCQI_refも４つのサブフレームである。したがって、基準サブフレームｎ−ｎCQI_refのロケーションはＡ−ＣＳＩ要求ＤＬサブフレームのロケーションと同じである。図１１Ａの例では、Ａ−ＣＳＩ要求ＤＬサブフレームは、サブフレーム＃０であり、固定サブフレームである。したがって、図１１Ａでは、ＵＥは、１１０６において、固定サブフレームに基づいてサブフレーム＃０においてチャネルおよび干渉を測定する。その後、ＵＥは、測定されたチャネルおよび干渉に基づいてＣＱＩ／ＰＭＩ／ＲＩを計算し、サブフレーム＃４において、固定ＤＬサブフレームについてのＣＱＩ／ＰＭＩ／ＲＩを含むＡ−ＣＳＩ報告１１０４を送る。
【００５２】
[0067]図１１Ｂは、第１の手法の第２の事例の一例を示す例示的な図１１３０である。例示的な図１１３０はサブフレーム構成＃２に基づく。Ａ−ＣＳＩ要求１１３２がサブフレーム＃１において受信され、Ａ−ＣＳＩ報告１１３４を送るためのＡ−ＣＳＩ報告ＵＬサブフレームｎがサブフレーム＃７である。図１１Ｂでは、Ａ−ＣＳＩ要求１１３２とＡ−ＣＳＩ報告１１３４との間の報告遅延ｘが４つのサブフレームよりも大きく、ｎ−４に対応するサブフレームが、サブフレーム＃３であるＤＬサブフレームである。その結果、基準遅延ｎCQI_refも４つのサブフレームである。したがって、基準サブフレームｎ−ｎCQI_refは、フレキシブルＤＬサブフレームであるサブフレーム＃３に配置される。ＵＥがＡ−ＣＳＩ要求１１３２を受信した後、ＵＥは、１１３６において、フレキシブルサブフレームに基づいてサブフレーム＃３においてチャネルおよび干渉を測定する。その後、ＵＥは、測定されたチャネルおよび干渉に基づいてＣＱＩ／ＰＭＩ／ＲＩを計算し、サブフレーム＃７において、フレキシブルＤＬサブフレームについてのＣＱＩ／ＰＭＩ／ＲＩを含むＡ−ＣＳＩ報告１１３４を送る。
【００５３】
[0068]図１１Ｃは、第１の手法の第３の事例の一例を示す例示的な図１１６０である。例示的な図１１６０はサブフレーム構成＃１に基づく。Ａ−ＣＳＩ要求１１６２がサブフレーム＃１において受信され、Ａ−ＣＳＩ報告１１６４を送るためのＡ−ＣＳＩ報告ＵＬサブフレームｎがサブフレーム＃７である。図１１Ｃでは、Ａ−ＣＳＩ要求１１６２とＡ−ＣＳＩ報告１１６４との間の報告遅延ｘが４つのサブフレームよりも大きく、ｎ−４に対応するサブフレームが、サブフレーム＃３であるＵＬサブフレームである。その結果、基準遅延ｎCQI_refは報告遅延ｘに等しい。したがって、基準サブフレームｎ−ｎCQI_refは、固定サブフレームおよびＡ−ＣＳＩ要求ＤＬサブフレームである、サブフレーム＃１に配置される。ＵＥがＡ−ＣＳＩ要求１１６２を受信した後、ＵＥは、１１６６において、固定ＤＬサブフレームに基づいてサブフレーム＃１においてチャネルおよび干渉を測定する。その後、ＵＥは、測定されたチャネルおよび干渉に基づいてＣＱＩ／ＰＭＩ／ＲＩを計算し、サブフレーム＃７において、固定ＤＬサブフレームについてのＣＱＩ／ＰＭＩ／ＲＩを含むＡ−ＣＳＩ報告１１３４を送る。
【００５４】
[0069]第２の手法によれば、異なるＤＬサブフレーム中でまたは同じＤＬサブフレーム中で、チャネル品質測定および干渉測定が実行され得る。特に、チャネル品質測定は、Ａ−ＣＳＩ要求が受信されるサブフレーム（たとえば、Ａ−ＣＳＩ要求ＤＬサブフレーム）において実行される。干渉測定は、サブフレーム構成に応じて、固定ＤＬサブフレームまたはフレキシブルＤＬサブフレームであり得る、基準サブフレームにおいて実行される。干渉測定の場合、ＵＥは、Ａ−ＣＳＩ要求ＤＬサブフレームとＡ−ＣＳＩ報告ＵＬサブフレームとの間の報告遅延に基づいて、および／またはＡ−ＣＳＩ報告ＵＬサブフレームに基づいて、基準サブフレームのロケーションおよびタイプ（たとえば、固定サブフレームまたはフレキシブルサブフレーム）を決定し得る。干渉測定のための基準サブフレームを決定する際の３つの事例が存在し得る。ｎがＡ−ＣＳＩ報告ＵＬサブフレームであり、ｘが報告遅延であり、ｎ−ｘがＡ−ＣＳＩ要求ＤＬサブフレームであると仮定する。基準サブフレームｎ−ｎCQI_refのロケーションおよびタイプは、以下の３つの事例に従って決定され得、ここで、ｎCQI_refは、基準サブフレームとＡ−ＣＳＩ報告ＵＬサブフレームとの間の基準遅延である。
【００５５】
[0070]第１の事例では、報告遅延ｘが４つのサブフレームである場合、ｎCQI_refは４つのサブフレームである。第１の事例では、干渉測定のための基準サブフレームｎ−ｎCQI_refはＡ−ＣＳＩ要求ＤＬサブフレームと同じであり、したがって、チャネルと干渉の両方は、固定サブフレームであるＡ−ＣＳＩ要求ＤＬサブフレームにおいて測定される。したがって、ＵＥは、基準サブフレームにおいて固定ＤＬサブフレームに基づいてチャネルおよび干渉を測定し、チャネル測定および／または干渉測定に基づく固定ＤＬサブフレームについてのＡ−ＣＳＩ報告を送る。第２の事例では、報告遅延が４つのサブフレームよりも大きく、ｎ−４に対応するサブフレームがＤＬサブフレームである場合、ｎCQI_refは４つのサブフレームである。第２の事例では、干渉測定のための基準サブフレームｎ−ｎCQI_refはフレキシブルＤＬサブフレームであり、したがって、ＵＥはフレキシブルＤＬサブフレームについてのＡ−ＣＳＩ報告を送る。したがって、第２の事例では、チャネルはＡ−ＣＳＩ要求ＤＬサブフレームにおいて測定され、干渉は、Ａ−ＣＳＩ要求ＤＬサブフレームとは異なる基準サブフレームにおいて測定される。その後、第２の事例では、ＵＥは、あるサブフレーム（たとえば、Ａ−ＣＳＩ要求ＤＬサブフレーム）におけるチャネル測定と別のサブフレーム（たとえば、基準サブフレームｎ−ｎCQI_ref）における干渉測定とに基づくＡ−ＣＳＩ報告を送る。第３の事例では、報告遅延が４つのサブフレームよりも大きく、ｎ−４に対応するサブフレームがＵＬサブフレームまたはＭＢＳＦＮサブフレームである場合、ｎCQI_refは報告遅延ｘに等しい。第３の事例では、干渉測定のための基準サブフレームｎ−ｎCQI_refはＡ−ＣＳＩ要求ＤＬサブフレームと同じあり得、したがって、チャネルと干渉の両方はＡ−ＣＳＩ要求ＤＬサブフレームにおいて測定される。第３の事例では、干渉測定のための基準サブフレームｎ−ｎCQI_refは固定サブフレームである。したがって、ＵＥは、基準サブフレームにおいて固定ＤＬサブフレームに基づいてチャネルおよび干渉を測定し、チャネル測定および干渉測定に基づく固定ＤＬサブフレームについてのＡ−ＣＳＩ報告を送る。
【００５６】
[0071]図１２Ａから図１２Ｃは、第２の手法を示す例示的な図である。図１２Ａは、第２の手法の第１の事例の一例を示す例示的な図１２００である。例示的な図１２００はサブフレーム構成＃０に基づき、Ａ−ＣＳＩ報告１２０４を送るためのＡ−ＣＳＩ報告ＵＬサブフレームｎがサブフレーム＃４である。図１２Ａでは、チャネル測定は、Ａ−ＣＳＩ要求１２０２が受信されるＡ−ＣＳＩ要求ＤＬサブフレームである、サブフレーム＃０において実行される。図１２Ａでは、Ａ−ＣＳＩ要求１２０２とＡ−ＣＳＩ報告１２０４との間の報告遅延ｘが４つのサブフレームであるので、基準遅延ｎCQI_refも４つのサブフレームである。したがって、干渉測定のための基準サブフレームｎ−ｎCQI_refのロケーションはＡ−ＣＳＩ要求ＤＬサブフレームのロケーションと同じである。図１２Ａの例では、Ａ−ＣＳＩ要求ＤＬサブフレームは、サブフレーム＃０であり、固定サブフレームである。したがって、図１２Ａでは、ＵＥは、１２０６において、固定サブフレームに基づいてサブフレーム＃０においてチャネルおよび干渉を測定する。その後、ＵＥは、測定されたチャネルおよび干渉に基づいてＣＱＩ／ＰＭＩ／ＲＩを計算し、サブフレーム＃４において、固定ＤＬサブフレームについてのＣＱＩ／ＰＭＩ／ＲＩを含むＡ−ＣＳＩ報告１２０４を送る。
【００５７】
[0072]図１２Ｂは、第２の手法の第２の事例の一例を示す例示的な図１２３０である。例示的な図１２３０はサブフレーム構成＃２に基づき、Ａ−ＣＳＩ報告１２３４を送るためのＡ−ＣＳＩ報告ＵＬサブフレームｎがサブフレーム＃７である。図１２Ｂでは、チャネル測定は、Ａ−ＣＳＩ要求１２３２が受信されるＡ−ＣＳＩ要求ＤＬサブフレームである、サブフレーム＃１において実行される。図１２Ｂでは、Ａ−ＣＳＩ要求１２３２とＡ−ＣＳＩ報告１２３４との間の報告遅延ｘが４つのサブフレームよりも大きく、ｎ−４に対応するサブフレームが、サブフレーム＃３であるＤＬサブフレームである。その結果、基準遅延ｎCQI_refも４つのサブフレームである。したがって、基準サブフレームｎ−ｎCQI_refは、フレキシブルＤＬサブフレームであるサブフレーム＃３に配置される。ＵＥがＡ−ＣＳＩ要求１２３２を受信した後、ＵＥは、１２３６において、フレキシブルサブフレームに基づいてサブフレーム＃３において干渉を測定し、１２３８において、固定サブフレームに基づいてサブフレーム＃１においてチャネルを測定する。その後、ＵＥは、測定されたチャネルおよび干渉に基づいてＣＱＩ／ＰＭＩ／ＲＩを計算し、サブフレーム＃７において、フレキシブルＤＬサブフレームについてのＣＱＩ／ＰＭＩ／ＲＩを含むＡ−ＣＳＩ報告１２３４を送る。
【００５８】
[0073]図１２Ｃは、第２の手法の第３の事例の一例を示す例示的な図１２６０である。例示的な図１２６０はサブフレーム構成＃１に基づく。Ａ−ＣＳＩ要求１２６２がサブフレーム＃１において送られ、Ａ−ＣＳＩ報告１２６４を送るためのＡ−ＣＳＩ報告ＵＬサブフレームｎがサブフレーム＃７である。図１２Ｃでは、チャネル測定は、Ａ−ＣＳＩ要求１２６２が受信されるＡ−ＣＳＩ要求ＤＬサブフレームである、サブフレーム＃１において実行される。図１２Ｃでは、Ａ−ＣＳＩ要求１２６２とＡ−ＣＳＩ報告１２６４との間の報告遅延ｘが４つのサブフレームよりも大きく、ｎ−４に対応するサブフレームが、サブフレーム＃３であるＵＬサブフレームである。その結果、基準遅延ｎCQI_refは報告遅延ｘに等しい。したがって、干渉測定のための基準サブフレームｎ−ｎCQI_refは、固定サブフレームおよびＡ−ＣＳＩ要求ＤＬサブフレームである、サブフレーム＃１に配置される。ＵＥがＡ−ＣＳＩ要求１２６２を受信した後、ＵＥは、１２６６において、固定サブフレームに基づいてサブフレーム＃１においてチャネルおよび干渉を測定する。その後、ＵＥは、測定されたチャネルおよび干渉に基づいてＣＱＩ／ＰＭＩ／ＲＩを計算し、サブフレーム＃７において、固定ＤＬサブフレームについてのＣＱＩ／ＰＭＩ／ＲＩを含むＡ−ＣＳＩ報告１２６４を送る。
【００５９】
[0074]第３の手法によれば、複数の基準サブフレーム中で測定されたＣＳＩ値は、組み合わせられ、ｅＮＢに報告され得、ここで、各ＣＳＩはそれぞれのＣＱＩ／ＰＭＩ／ＲＩを含む。特に、ＵＥは、Ａ−ＣＳＩ報告ＵＬサブフレームと報告遅延とに基づいて、単一のＣＳＩを報告すべきなのか複数のＣＳＩを報告すべきなのかを決定し得る。単一のＣＳＩを報告すべきなのか複数のＣＳＩを報告すべきなのかに関する決定は、Ａ−ＣＳＩ要求ダウンリンクサブフレームのロケーションにさらに基づき得る。ＵＥが複数のＣＳＩを報告することを決定した場合、ＵＥは、たとえば、第１の基準サブフレームに対応する第１のＣＳＩを計算し、第２の基準サブフレームに対応する第２のＣＳＩを計算し、次いで、それらを一緒に報告するために第１のＣＳＩと第２のＣＳＩとを組み合わせ得る。一例では、ＵＥは、第１のＣＳＩを計算するために、フレキシブルサブフレームである第１の基準サブフレームにおいてチャネルおよび／または干渉を測定し得、また、第２のＣＳＩを計算するために、固定サブフレームである第２の基準サブフレームにおいてチャネルおよび／または干渉を測定し得る。その後、ＵＥは、同じＣＳＩ報告中で第１のＣＳＩと第２のＣＳＩとを送るために、第１のＣＳＩと第２のＣＳＩとを組み合わせ（たとえば、多重化し）得る。ＵＥは、Ａ−ＣＳＩ要求ＤＬサブフレームとＡ−ＣＳＩ報告ＵＬサブフレームとの間の報告遅延に基づいて、および／またはＡ−ＣＳＩ報告ＵＬサブフレームに基づいて、各基準サブフレームのロケーションおよびタイプ（たとえば、固定サブフレームまたはフレキシブルサブフレーム）を決定し得る。
【００６０】
[0075]第３の手法の第１のシナリオでは、各ＣＳＩ値を計算するためのチャネル測定および干渉測定は、ＤＬサブフレームである同じ基準サブフレーム中で実行される。基準サブフレームを決定する際の３つの事例が存在し得る。ｎがＡ−ＣＳＩ報告ＵＬサブフレームであり、ｘが報告遅延であり、ｎ−ｘがＡ−ＣＳＩ要求ＤＬサブフレームであると仮定する。フレキシブルサブフレームＣＳＩのための第１の基準サブフレームｎ−ｎCQI_ref1および／または固定サブフレームＣＳＩのための第２の基準サブフレームｎ−ｎCQI_ref2のロケーションならびにタイプは、以下の３つの事例に従って決定され得、ここで、ｎCQI_ref1は、第１の基準サブフレームとＡ−ＣＳＩ報告ＵＬサブフレームｎとの間の基準遅延であり、ｎCQI_ref2は、第２の基準サブフレームとＡ−ＣＳＩ報告ＵＬサブフレームｎとの間の基準遅延である。
【００６１】
[0076]第１の事例では、報告遅延ｘが４つのサブフレームである場合、ｎCQI_ref2は４つのサブフレームであり、ＵＥはフレキシブルサブフレームのＣＳＩを報告しない。第１の事例では、第２の基準サブフレームｎ−ｎCQI_ref2はＡ−ＣＳＩ要求ＤＬサブフレームと同じであり、したがって、第２の基準サブフレームｎ−ｎCQI_ref2は固定サブフレームである。第１の事例では、ＵＥは、第２の基準サブフレームにおいて固定サブフレームに基づいてチャネルおよび干渉を測定し、チャネルおよび干渉に基づく固定サブフレームについてのＡ−ＣＳＩ報告を送る。第１の事例では、フレキシブルサブフレームに基づくチャネルおよび干渉が測定されないか、または報告されないことがあることに留意されたい。第２の事例では、報告遅延が４つのサブフレームよりも大きく、ｎ−４に対応するサブフレームがＤＬサブフレームである場合、ｎCQI_ref1は４つのサブフレームであり、ｎCQI_ref2は報告遅延ｘに等しい。第２の事例では、ＵＥは、フレキシブルサブフレームである第１の基準サブフレームｎ−ｎCQI_ref1のフレキシブルサブフレームＣＳＩと、固定サブフレームである第２の基準サブフレームｎ−ｎCQI_ref2の固定サブフレームＣＳＩとを組み合わせ、その後、サブフレームｎ中でフレキシブルサブフレームＣＳＩと固定サブフレームＣＳＩとをもつＡ−ＣＳＩ報告を送る。第３の事例では、報告遅延が４つのサブフレームよりも大きく、ｎ−４に対応するサブフレームがＵＬサブフレームまたはＭＢＳＦＮサブフレームである場合、ｎCQI_ref2は報告遅延ｘに等しく、ＵＥはフレキシブルサブフレームのＣＳＩを報告しない。第３の事例では、第２の基準サブフレームｎ−ｎCQI_ref2は、固定サブフレームであるＡ−ＣＳＩ要求ＤＬサブフレームと同じであり得る。したがって、ＵＥは、第２の基準サブフレームにおいて固定サブフレームに基づいてチャネルおよび干渉を測定し、チャネルおよび干渉に基づく固定サブフレームについてのＡ−ＣＳＩ報告を送る。第３の事例では、フレキシブルサブフレームに基づくチャネルおよび干渉が測定されないか、または報告されないことがあることに留意されたい。
【００６２】
[0077]第３の手法の第２のシナリオでは、各ＣＳＩのためのチャネル品質測定および干渉測定が、異なるＤＬサブフレーム中で実行される。特に、各ＣＳＩのためのチャネル測定は、Ａ−ＣＳＩ要求が受信されるサブフレーム（たとえば、Ａ−ＣＳＩ要求ＤＬサブフレーム）において実行される。干渉測定は、サブフレーム構成に応じて、固定サブフレームまたはフレキシブルサブフレームであり得る、基準フレームにおいて実行される。干渉測定の場合、ＵＥは、Ａ−ＣＳＩ要求ＤＬサブフレームとＡ−ＣＳＩ報告ＵＬサブフレームとの間の報告遅延に基づいて、および／またはＡ−ＣＳＩ報告ＵＬサブフレームに基づいて、基準サブフレームのロケーションおよびタイプ（たとえば、固定サブフレームまたはフレキシブルサブフレーム）を決定し得る。
【００６３】
[0078]干渉測定のための基準サブフレームを決定する際の３つの事例が存在し得る。ｎがＡ−ＣＳＩ報告ＵＬサブフレームであり、ｘが報告遅延であり、ｎ−ｘがＡ−ＣＳＩ要求ＤＬサブフレームであると仮定する。フレキシブルサブフレームＣＳＩのための第１の基準サブフレームｎ−ｎCQI_ref1および／または固定サブフレームＣＳＩのための第２の基準サブフレームｎ−ｎCQI_ref2のロケーションならびにタイプは、以下の３つの事例に従って決定され得、ここで、ｎCQI_ref1は、第１の基準サブフレームとＡ−ＣＳＩ報告ＵＬサブフレームとの間の基準遅延であり、ｎCQI_ref2は、第２の基準サブフレームとＡ−ＣＳＩ報告ＵＬサブフレームとの間の基準遅延である。
【００６４】
[0079]第１の事例では、報告遅延ｘが４つのサブフレームである場合、ｎCQI_ref2は４つのサブフレームであり、ＵＥはフレキシブルサブフレームのＣＳＩを報告しない。第１の事例では、干渉測定のための第２の基準サブフレームｎ−ｎCQI_ref2は、固定サブフレームであり、Ａ−ＣＳＩ要求ＤＬサブフレームと同じである。したがって、第１の事例では、ＵＥは、Ａ−ＣＳＩ要求ＤＬサブフレームにおいて固定サブフレームに基づいて固定サブフレームＣＳＩのためのチャネルと干渉の両方を測定し、チャネルおよび干渉に基づく固定サブフレームについてのＡ−ＣＳＩ報告を送る。第２の事例では、報告遅延が４つのサブフレームよりも大きく、ｎ−４に対応するサブフレームがＤＬサブフレームである場合、ｎCQI_ref1は４つのサブフレームであり、ｎCQI_ref2は報告遅延ｘに等しい。特に、第２の事例では、第１の基準サブフレームｎ−ｎCQI_ref1のフレキシブルサブフレームＣＳＩを計算するために、フレキシブルサブフレームＣＳＩのためのチャネルはＡ−ＣＳＩ要求ＤＬサブフレームにおいて測定され、フレキシブルサブフレームＣＳＩのための干渉は別個の基準サブフレームにおいて測定される。さらに、第２の事例では、第２の基準サブフレームｎ−ｎCQI_ref2の固定サブフレームＣＳＩを計算するために、固定サブフレームＣＳＩのためのチャネルおよび干渉はＡ−ＣＳＩ要求ＤＬサブフレームにおいて測定される。第２の事例では、ＵＥは、その後、フレキシブルサブフレームである第１の基準サブフレームｎ−ｎCQI_ref1に対応するフレキシブルサブフレームＣＳＩと、固定サブフレームである第２の基準サブフレームｎ−ｎCQI_ref2に対応する固定サブフレームＣＳＩとを組み合わせ、サブフレームｎ中でフレキシブルサブフレームＣＳＩと固定サブフレームＣＳＩとをもつＡ−ＣＳＩ報告を送る。第３の事例では、報告遅延が４つのサブフレームよりも大きく、ｎ−４に対応するサブフレームがＵＬサブフレームまたはＭＢＳＦＮである場合、ｎCQI_ref2は報告遅延ｘに等しく、ＵＥはフレキシブルサブフレームのＣＳＩを報告しない。第３の事例では、干渉測定のための第２の基準サブフレームｎ−ｎCQI_ref2は、固定サブフレームであるＡ−ＣＳＩ要求ＤＬサブフレームと同じであり得、したがって、固定サブフレームＣＳＩのためのチャネルと干渉の両方はＡ−ＣＳＩ要求ＤＬサブフレームにおいて測定され得る。したがって、ＵＥは、固定サブフレームに基づいてチャネルおよび干渉を測定し、チャネルおよび干渉に基づく固定サブフレームについてのＡ−ＣＳＩ報告を送る。
【００６５】
[0080]図１３Ａから図１３Ｃは、第３の手法の第１のシナリオを示す例示的な図である。図１３Ａは、第３の手法の第１のシナリオの第１の事例の一例を示す例示的な図１３００である。例示的な図１３００はサブフレーム構成＃０に基づく。Ａ−ＣＳＩ要求１３０２がサブフレーム＃０において受信され、Ａ−ＣＳＩ報告１３０４を送るためのＡ−ＣＳＩ報告ＵＬサブフレームｎがサブフレーム＃４である。図１３Ａでは、Ａ−ＣＳＩ要求１３０２とＡ−ＣＳＩ報告１３０４との間の報告遅延ｘが４つのサブフレームであるので、基準遅延ｎCQI_ref2も４つのサブフレームであり、ＵＥはフレキシブルサブフレームのＣＳＩを報告しない。したがって、第２の基準サブフレームｎ−ｎCQI_ref2のロケーションは、サブフレーム＃０において、Ａ−ＣＳＩ要求ＤＬサブフレームのロケーションと同じである。図１３Ａの例では、Ａ−ＣＳＩ要求ＤＬサブフレームは、サブフレーム＃０であり、固定サブフレームである。したがって、図１３Ａでは、ＵＥは、１３０６において、固定サブフレームに基づいてサブフレーム＃０においてチャネルおよび干渉を測定する。その後、ＵＥは、測定されたチャネルおよび干渉に基づいて固定サブフレームＣＳＩを計算し、サブフレーム＃４において、固定サブフレームについての固定サブフレームＣＳＩを含むＡ−ＣＳＩ報告１３０４を送る。
【００６６】
[0081]図１３Ｂは、第３の手法の第１のシナリオの第２の事例の一例を示す例示的な図１３３０である。例示的な図１３３０はサブフレーム構成＃２に基づく。Ａ−ＣＳＩ要求１３３２がサブフレーム＃１において受信され、Ａ−ＣＳＩ報告１３３４を送るためのＡ−ＣＳＩ報告ＵＬサブフレームｎがサブフレーム＃７である。図１３Ｂでは、Ａ−ＣＳＩ要求１３３２とＡ−ＣＳＩ報告１３３４との間の報告遅延ｘが４つのサブフレームよりも大きく、ｎ−４に対応するサブフレームが、サブフレーム＃３であるＤＬサブフレームである。その結果、第１の基準遅延ｎCQI_ref1は４つのサブフレームであり、第２の基準遅延ｎCQI_ref2は報告遅延ｘに等しい。したがって、第１の基準サブフレームｎ−ｎCQI_ref1は、フレキシブルサブフレームであるサブフレーム＃３に配置され、第２の基準サブフレームｎ−ｎCQI_ref2は、固定サブフレームであるサブフレーム＃１に配置される。ＵＥがＡ−ＣＳＩ要求１３３２を受信した後、ＵＥは、１３３６において、フレキシブルサブフレームＣＳＩを計算するために、フレキシブルサブフレームに基づいてサブフレーム＃３においてチャネルおよび干渉を測定し、１３３８において、固定サブフレームＣＳＩを計算するために、固定サブフレームに基づいてサブフレーム＃１においてチャネルおよび干渉を測定する。その後、ＵＥは、フレキシブルサブフレームＣＳＩと固定サブフレームＣＳＩとを組み合わせ、サブフレーム＃７において、フレキシブルサブフレームＣＳＩと固定サブフレームＣＳＩとを含むＡ−ＣＳＩ報告１３３４を送る。
【００６７】
[0082]図１３Ｃは、第３の手法の第１のシナリオの第３の事例の一例を示す例示的な図１３６０である。例示的な図１３６０はサブフレーム構成＃１に基づく。Ａ−ＣＳＩ要求１３６２がサブフレーム＃１において受信され、Ａ−ＣＳＩ報告１３６４を送るためのＡ−ＣＳＩ報告ＵＬサブフレームｎがサブフレーム＃７である。図１３Ｃでは、Ａ−ＣＳＩ要求１３６２とＡ−ＣＳＩ報告１３６４との間の報告遅延ｘが４つのサブフレームよりも大きく、ｎ−４に対応するサブフレームが、サブフレーム＃３であるＵＬサブフレームである。その結果、基準遅延ｎCQI_ref2は報告遅延ｘに等しく、ＵＥはフレキシブルサブフレームのＣＳＩを報告しない。したがって、第２の基準サブフレームｎ−ｎCQI_ref2は、固定サブフレームおよびＡ−ＣＳＩ要求ＤＬサブフレームである、サブフレーム＃１に配置される。ＵＥがＡ−ＣＳＩ要求１３６２を受信した後、ＵＥは、１３６６において、固定サブフレームに基づいてサブフレーム＃１においてチャネルおよび干渉を測定する。その後、ＵＥは、測定されたチャネルおよび干渉に基づいてＣＳＩを計算し、サブフレーム＃７において、固定サブフレームについてのＣＳＩを含むＡ−ＣＳＩ報告１３３４を送る。
【００６８】
[0083]図１４Ａから図１４Ｃは、第３の手法の第２のシナリオを示す例示的な図である。図１４Ａは、第３の手法の第２のシナリオの第１の事例の一例を示す例示的な図１４００である。例示的な図１４００はサブフレーム構成＃０に基づき、Ａ−ＣＳＩ報告１４０４を送るためのＡ−ＣＳＩ報告ＵＬサブフレームｎがサブフレーム＃４である。図１４Ａでは、チャネル測定は、Ａ−ＣＳＩ要求１４０２が受信されるＡ−ＣＳＩ要求ＤＬサブフレームである、サブフレーム＃０において実行される。図１４Ａでは、Ａ−ＣＳＩ要求１４０２とＡ−ＣＳＩ報告１４０４との間の報告遅延ｘが４つのサブフレームであるので、基準遅延ｎCQI_ref2も４つのサブフレームであり、ＵＥはフレキシブルサブフレームのＣＳＩを報告しない。したがって、干渉測定のための第２の基準サブフレームｎ−ｎCQI_ref2のロケーションは、サブフレーム＃０において、Ａ−ＣＳＩ要求ＤＬサブフレームのロケーションと同じである。図１４Ａの例では、Ａ−ＣＳＩ要求ＤＬサブフレームは、サブフレーム＃０であり、固定サブフレームである。したがって、図１４Ａでは、ＵＥは、１４０６において、固定サブフレームに基づいてサブフレーム＃０においてチャネルおよび干渉を測定する。その後、ＵＥは、測定されたチャネルおよび干渉に基づいて固定サブフレームＣＳＩを計算し、サブフレーム＃４において、固定サブフレームについての固定サブフレームＣＳＩを含むＡ−ＣＳＩ報告１４０４を送る。
【００６９】
[0084]図１４Ｂは、第３の手法の第２のシナリオの第２の事例の一例を示す例示的な図１４３０である。例示的な図１４３０はサブフレーム構成＃２に基づき、Ａ−ＣＳＩ報告１４３４を送るためのＡ−ＣＳＩ報告ＵＬサブフレームｎがサブフレーム＃７である。図１４Ｂでは、Ａ−ＣＳＩ要求１４３２とＡ−ＣＳＩ報告１４３４との間の報告遅延ｘが４つのサブフレームよりも大きく、ｎ−４に対応するサブフレームが、サブフレーム＃３であるＤＬサブフレームである。その結果、第１の基準遅延ｎCQI_ref1は４つのサブフレームであり、第２の基準遅延ｎCQI_ref2は報告遅延ｘに等しい。したがって、第１の基準サブフレームｎ−ｎCQI_ref1は、フレキシブルサブフレームであるサブフレーム＃３に配置され、第２の基準サブフレームｎ−ｎCQI_ref2は、固定サブフレームであるサブフレーム＃１に配置される。ＵＥがＡ−ＣＳＩ要求１４３２を受信した後、フレキシブルサブフレームＣＳＩを計算するために、ＵＥは、１４３８において、固定サブフレームに基づいて、Ａ−ＣＳＩ要求１４３２が受信されるＡ−ＣＳＩ要求ＤＬサブフレームであるサブフレーム＃１において、チャネル測定を実行し、さらに、１４３６において、フレキシブルサブフレームに基づいて、干渉測定のための第１の基準サブフレームｎ−ｎCQI_ref1であるサブフレーム＃３において、干渉測定を実行する。さらに、ＵＥがＡ−ＣＳＩ要求１４３２を受信した後、固定サブフレームＣＳＩを計算するために、ＵＥは、１４３８において、固定サブフレームに基づいて、Ａ−ＣＳＩ要求ＤＬサブフレームであるサブフレーム＃１において、チャネル測定および干渉測定を実行する。その後、ＵＥは、フレキシブルサブフレームＣＳＩと固定サブフレームＣＳＩとを組み合わせ、サブフレーム＃７において、フレキシブルサブフレームＣＳＩと固定サブフレームＣＳＩとを含むＡ−ＣＳＩ報告１４３４を送る。
【００７０】
[0085]図１４Ｃは、第３の手法の第２のシナリオの第３の事例の一例を示す例示的な図１４６０である。例示的な図１４６０はサブフレーム構成＃１に基づき、Ａ−ＣＳＩ報告１４６４を送るためのＡ−ＣＳＩ報告ＵＬサブフレームｎがサブフレーム＃７である。図１４Ｃでは、チャネル測定は、Ａ−ＣＳＩ要求１４６２が受信されるＡ−ＣＳＩ要求ＤＬサブフレームである、サブフレーム＃１において実行される。図１４Ｃでは、Ａ−ＣＳＩ要求１４６２とＡ−ＣＳＩ報告１４６４との間の報告遅延ｘが４つのサブフレームよりも大きく、ｎ−４に対応するサブフレームが、サブフレーム＃３であるＵＬサブフレームである。その結果、干渉測定のための基準遅延ｎCQI_ref2は報告遅延ｘに等しく、ＵＥはフレキシブルサブフレームのＣＳＩを報告しない。したがって、干渉測定のための第２の基準サブフレームｎ−ｎCQI_ref2は、固定サブフレームおよびＡ−ＣＳＩ要求ＤＬサブフレームである、サブフレーム＃１に配置される。ＵＥがＡ−ＣＳＩ要求１４６２を受信した後、ＵＥは、１４６６において、固定サブフレームに基づいてサブフレーム＃１においてチャネルおよび干渉を測定する。その後、ＵＥは、測定されたチャネルおよび干渉に基づいてＣＳＩを計算し、サブフレーム＃７において、固定サブフレームについてのＣＳＩを含むＡ−ＣＳＩ報告１４６４を送る。
【００７１】
[0086]図１５は、ワイヤレス通信の方法のフローチャート１５００である。本方法はＵＥによって実行され得る。１５０２において、ＵＥは、Ａ−ＣＳＩ報告アップリンクサブフレームと、Ａ−ＣＳＩ要求ダウンリンクサブフレームと、基準遅延と、報告遅延とに基づいて、基準サブフレームのロケーションを決定する。一態様では、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。１５０４において、ＵＥは、基準サブフレームのロケーションとサブフレーム構成とに基づいて基準サブフレームのタイプを決定し、基準サブフレームのタイプはフレキシブルサブフレームまたは固定サブフレームである。たとえば、上記で説明したように、基準サブフレームｎ−ｎCQI_refのロケーションおよびタイプは、Ａ−ＣＳＩ報告ＵＬサブフレームｎと、Ａ−ＣＳＩ要求ＤＬサブフレームｎ−ｘと、基準遅延ｎCQI_refと、報告遅延ｘとのうちの少なくとも１つに基づいて決定され得る。上記で説明したように、基準サブフレームは、サブフレーム構成に応じて、固定サブフレームまたはフレキシブルサブフレームであり得る。
【００７２】
[0087]１５０６において、ＵＥは、基準サブフレームと基準サブフレームのタイプとに基づいてチャネルまたは干渉のうちの少なくとも１つを測定する。上記で説明したように、チャネルまたは干渉のうちの少なくとも１つは、基準サブフレームのタイプに基づいて基準サブフレームにおいて測定される。
【００７３】
[0088]１５０８において、ＵＥは、図１６に示されている方法を実行する。さらなる説明を以下で与える。
【００７４】
[0089]１５１０において、ＵＥは、Ａ−ＣＳＩ報告アップリンクサブフレームにおいて、チャネルまたは干渉のうちの少なくとも１つに基づくＡ−ＣＳＩ報告を送る。たとえば、上記で説明したように、ＵＥは、測定されたチャネルおよび／または干渉に基づくＣＱＩ／ＰＭＩ／ＲＩを含むＡ−ＣＳＩ報告を送る。
【００７５】
[0090]一態様では、基準サブフレームは、Ａ−ＣＳＩ報告アップリンクサブフレームよりいくつかのサブフレーム前に配置され、ここで、いくつかのサブフレームは、第１の遅延値または第２の遅延値のいずれかに基づく。そのような態様では、基準遅延の第１の遅延値は４つのサブフレームに対応する。たとえば、上記で説明したように、基準サブフレームはｎ−ｎCQI_refとして表され得、ここで、ｎCQI_refは、基準サブフレームとＡ−ＣＳＩ報告ＵＬサブフレームとの間の基準遅延である。たとえば、再び図１１Ａから図１１Ｃを参照すると、第１の手法の第１および第２の事例では、基準遅延ｎCQI_refは４つのサブフレームであり、第１の手法の第３の事例では、基準遅延ｎCQI_refは報告遅延ｘである。
【００７６】
[0091]一態様では、チャネルおよび干渉は、報告遅延が４つのサブフレームに対応するとき、基準サブフレームにおいて測定され、基準サブフレームはＡ−ＣＳＩ要求ダウンリンクサブフレームに対応する。そのような態様では、チャネルおよび干渉は、固定サブフレームである基準サブフレームのタイプに基づいて測定される。たとえば、再び図１１Ａを参照すると、Ａ−ＣＳＩ要求１１０２とＡ−ＣＳＩ報告１１０４との間の報告遅延ｘが４つのサブフレームであるので、基準遅延ｎCQI_refも４つのサブフレームである。たとえば、再び図１１Ａを参照すると、ＵＥは、１１０６において、固定サブフレームに基づいてサブフレーム＃０においてチャネルおよび干渉を測定する。
【００７７】
[0092]一態様では、報告遅延が４つのサブフレームよりも大きく、Ａ−ＣＳＩ報告アップリンクサブフレームより４サブフレーム前に配置されるサブフレームがダウンリンクサブフレームであるとき、基準サブフレームは、Ａ−ＣＳＩ報告アップリンクサブフレームより４サブフレーム前に配置される。そのような態様では、第１の事例によれば、チャネルおよび干渉は、フレキシブルサブフレームである基準サブフレームのタイプに基づいて測定され得る。たとえば、再び図１１Ｂを参照すると、Ａ−ＣＳＩ要求１１３２とＡ−ＣＳＩ報告１１３４との間の報告遅延ｘが４つのサブフレームよりも大きく、ｎ−４に対応するサブフレームが、サブフレーム＃３であるＤＬサブフレームであり、したがって、その結果、基準遅延ｎCQI_refも４つのサブフレームである。たとえば、再び図１１Ｂを参照すると、ＵＥは、１１３６において、フレキシブルサブフレームに基づいて基準サブフレーム（サブフレーム＃３）においてチャネルおよび干渉を測定する。そのような態様では、第２の事例によれば、チャネルはＡ−ＣＳＩ要求ダウンリンクサブフレームにおいて測定され得、干渉は、Ａ−ＣＳＩ報告アップリンクサブフレームより４サブフレーム前に配置される基準サブフレームにおいて測定される。そのような態様では、第２の事例によれば、干渉は、フレキシブルサブフレームである基準サブフレームのタイプに基づいて測定され得、チャネルは、固定サブフレームであるＡ−ＣＳＩ要求ダウンリンクサブフレームのタイプに基づいて測定される。たとえば、再び図１２Ｂを参照すると、ＵＥは、１２３６において、フレキシブルサブフレームに基づいて基準サブフレーム（サブフレーム＃３）において干渉を測定し、１２３８において、固定サブフレームに基づいてＡ−ＣＳＩ要求ＤＬサブフレーム（サブフレーム＃１）においてチャネルを測定する。
【００７８】
[0093]一態様では、報告遅延が４つのサブフレームよりも大きく、Ａ−ＣＳＩ報告アップリンクサブフレームより４サブフレーム前に配置されるサブフレームがアップリンクサブフレームまたはＭＢＳＦＮサブフレームであるとき、基準サブフレームは、Ａ−ＣＳＩ要求ダウンリンクサブフレームに対応する。そのような態様では、チャネルおよび干渉は、固定サブフレームであるＡ−ＣＳＩ要求ダウンリンクサブフレームのタイプに基づいて測定される。たとえば、再び図１１Ｃを参照すると、Ａ−ＣＳＩ要求１１６２とＡ−ＣＳＩ報告１１６４との間の報告遅延ｘが４つのサブフレームよりも大きく、ｎ−４に対応するサブフレームが、サブフレーム＃３であるＵＬサブフレームであり、その結果、基準遅延ｎCQI_refは報告遅延ｘに等しい。たとえば、再び図１１Ｃを参照すると、ＵＥは、１１６６において、固定サブフレームに基づいてサブフレーム＃１においてチャネルおよび干渉を測定する。
【００７９】
[0094]図１６は、図１５のフローチャート１５００から展開するワイヤレス通信の方法のフローチャート１６００である。本方法はＵＥによって実行され得る。１６０２において、ＵＥは、Ａ−ＣＳＩ報告アップリンクサブフレームと報告遅延とに基づいて、第２のチャネルまたは第２の干渉のうちの少なくとも１つを測定することを決定する。１６０４において、ＵＥは、Ａ−ＣＳＩ要求ダウンリンクサブフレームに基づいて第２の基準サブフレームのロケーションを決定する。１６０６において、ＵＥは、第２の基準サブフレームに基づいて第２のチャネルまたは第２の干渉のうちの少なくとも１つを測定する。一態様では、１５１０においてＡ−ＣＳＩ報告アップリンクサブフレームにおいて送られたＡ−ＣＳＩ報告は、チャネルまたは干渉のうちの少なくとも１つと、第２のチャネルまたは第２の干渉のうちの少なくとも１つとに基づくＣＱＩを含み得る。一態様では、第２のチャネルまたは第２の干渉のうちの少なくとも１つを測定することの決定は、Ａ−ＣＳＩ要求ダウンリンクサブフレームのロケーションにさらに基づく。
【００８０】
[0095]上記で説明したように、ＵＥは、Ａ−ＣＳＩ報告ＵＬサブフレームと報告遅延とに基づいて、単一のＣＳＩを報告すべきなのか複数のＣＳＩを報告すべきなのかを決定し得、ここで、各ＣＳＩはそれぞれのＣＱＩ／ＰＭＩ／ＲＩを含む。ＵＥが複数のＣＳＩを報告することを決定した場合、ＵＥは、第１のＣＳＩを計算するために、固定基準サブフレームである第１のサブフレームにおいてチャネルおよび／または干渉を測定し得、また、第２のＣＳＩを計算するために、フレキシブルサブフレームである第２の基準サブフレームにおいてチャネルおよび／または干渉を測定し得る。その後、上記で説明したように、ＵＥは、同じＣＳＩ報告中で第１のＣＳＩと第２のＣＳＩとを送るために、第１のＣＳＩと第２のＣＳＩとを組み合わせ（たとえば、多重化し）得る。上記で説明したように、ＵＥは、Ａ−ＣＳＩ要求ＤＬサブフレームとＡ−ＣＳＩ報告ＵＬサブフレームとの間の報告遅延に基づいて、および／またはＡ−ＣＳＩ報告ＵＬサブフレームに基づいて、各基準サブフレームのロケーションおよびタイプ（たとえば、固定サブフレームまたはフレキシブルサブフレーム）を決定し得る。
【００８１】
[0096]一態様では、報告遅延が４つのサブフレームよりも大きく、Ａ−ＣＳＩ報告アップリンクサブフレームより４サブフレーム前に配置されるサブフレームがダウンリンクサブフレームであるとき、基準遅延は４つのサブフレームに対応し、第２の基準サブフレームはＡ−ＣＳＩ要求ダウンリンクサブフレームである。そのような態様では、あるシナリオによれば、チャネルおよび干渉は、フレキシブルサブフレームである基準サブフレームのタイプに基づいて測定され得、第２のチャネルおよび第２の干渉は、固定サブフレームである第２の基準サブフレームのタイプに基づいて測定され、第２の基準サブフレームはＡ−ＣＳＩ要求ダウンリンクサブフレームに対応する。たとえば、再び図１３Ｂを参照すると、Ａ−ＣＳＩ要求１３３２とＡ−ＣＳＩ報告１３３４との間の報告遅延ｘが４つのサブフレームよりも大きく、ｎ−４に対応するサブフレームが、サブフレーム＃３であるＤＬサブフレームであり、その結果、第１の基準遅延ｎCQI_ref1は４つのサブフレームであり、第２の基準遅延ｎCQI_ref2は報告遅延ｘである。たとえば、再び図１３Ｂを参照すると、ＵＥは、１３３６において、フレキシブルサブフレームＣＳＩを計算するために、フレキシブルサブフレームに基づいてサブフレーム＃３においてチャネルおよび干渉を測定し、１３３８において、固定サブフレームＣＳＩを計算するために、固定サブフレームに基づいてサブフレーム＃１においてチャネルおよび干渉を測定する。
【００８２】
[0097]そのような態様では、別のシナリオによれば、干渉は、フレキシブルサブフレームである基準サブフレームのタイプに基づいて測定され得、チャネルは、固定サブフレームであるＡ−ＣＳＩ要求ダウンリンクサブフレームのタイプに基づいて測定され、第２のチャネルおよび第２の干渉は、固定サブフレームである第２の基準サブフレームのタイプに基づいて測定され、第２の基準サブフレームはＡ−ＣＳＩ要求ダウンリンクサブフレームに対応する。たとえば、再び図１４Ｂを参照すると、フレキシブルサブフレームＣＳＩを計算するために、ＵＥは、１４３８において、固定サブフレームに基づいて、第２のサブフレームおよびＡ−ＣＳＩ要求１４３２が受信されるＡ−ＣＳＩ要求ＤＬサブフレームであるサブフレーム＃１において、チャネル測定を実行し、さらに、１４３６において、フレキシブルサブフレームに基づいて、干渉測定のための第１の基準サブフレームｎ−ｎCQI_ref1であるサブフレーム＃３において、干渉測定を実行する。たとえば、再び図１４を参照すると、固定サブフレームＣＳＩを計算するために、ＵＥは、１４３８において、固定サブフレームに基づいて、Ａ−ＣＳＩ要求ＤＬサブフレームであるサブフレーム＃１において、チャネル測定および干渉測定を実行し、ここで、Ａ−ＣＳＩ要求ＤＬサブフレームは第２の基準サブフレームである。
【００８３】
[0098]図１７は、例示的な装置１７０２中の異なるモジュール／手段／構成要素間のデータフローを示す概念データフロー図１７００である。本装置はＵＥであり得る。本装置は、受信モジュール１７０４と、送信モジュール１７０６と、Ａ−ＣＳＩ要求管理モジュール１７０８と、基準サブフレームモジュール１７１０と、チャネル／干渉測定モジュール１７１２と、Ａ−ＣＳＩ報告管理モジュール１７１４とを含む。
【００８４】
[0099]基準サブフレームモジュール１７１０は、Ａ−ＣＳＩ報告アップリンクサブフレームと、Ａ−ＣＳＩ要求ダウンリンクサブフレームと、基準遅延と、報告遅延とに基づいて、基準サブフレームのロケーションを決定する。一態様では、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。Ａ−ＣＳＩ要求ダウンリンクサブフレームは、本装置が１７６２において受信モジュール１７０４を介しておよび１７６４においてＡ−ＣＳＩ要求管理モジュール１７０８を介してｅＮＢ１７５０からＡ−ＣＳＩ要求を受信するサブフレームであり、Ａ−ＣＳＩ要求ダウンリンクサブフレームに関する情報は、１７６６において基準サブフレームモジュール１７１０に送られる。１５０４において、基準サブフレームモジュール１７１０は、基準サブフレームのロケーションとサブフレーム構成とに基づいて基準サブフレームのタイプを決定し、基準サブフレームのタイプはフレキシブルサブフレームまたは固定サブフレームである。チャネル／干渉測定モジュール１７１２は、基準サブフレームと基準サブフレームのタイプとに基づいてチャネルまたは干渉のうちの少なくとも１つを測定し、ここで、情報は１７６８において基準サブフレームモジュール１７１０から受信される。Ａ−ＣＳＩ報告管理モジュール１７１４は、１７７２においてＡ−ＣＳＩ報告管理モジュール１７１４を介しておよび１７７４において送信モジュール１７０６を介して、Ａ−ＣＳＩ報告アップリンクサブフレームにおいて、１７７０を介してチャネル／干渉測定モジュール１７１２から受信されたチャネルまたは干渉のうちの少なくとも１つに基づくＡ−ＣＳＩ報告を送る。
【００８５】
[00100]一態様では、基準サブフレームは、Ａ−ＣＳＩ報告アップリンクサブフレームよりいくつかのサブフレーム前に配置され、ここで、いくつかのサブフレームは、第１の遅延値または第２の遅延値のいずれかに基づく。そのような態様では、基準遅延の第１の遅延値は４つのサブフレームに対応する。
【００８６】
[00101]一態様では、チャネルおよび干渉は、報告遅延が４つのサブフレームに対応するとき、基準サブフレームにおいてチャネル／干渉測定モジュール１７１２によって測定され、基準サブフレームはＡ−ＣＳＩ要求ダウンリンクサブフレームに対応する。そのような態様では、チャネルおよび干渉は、固定サブフレームである基準サブフレームのタイプに基づいて、チャネル／干渉測定モジュール１７１２によって測定される。
【００８７】
[00102]一態様では、基準サブフレームは、報告遅延が４つのサブフレームよりも大きく、Ａ−ＣＳＩ報告アップリンクサブフレームより４サブフレーム前に配置されるサブフレームがダウンリンクサブフレームであるとき、Ａ−ＣＳＩ報告アップリンクサブフレームより４サブフレーム前に配置される。そのような態様では、第１の事例によれば、チャネルおよび干渉は、フレキシブルサブフレームである基準サブフレームのタイプに基づいて、チャネル／干渉測定モジュール１７１２を介して測定され得る。そのような態様では、第２の事例によれば、チャネルは、Ａ−ＣＳＩ要求ダウンリンクサブフレームにおいて、チャネル／干渉測定モジュール１７１２において測定され得、干渉は、Ａ−ＣＳＩ報告アップリンクサブフレームより４サブフレーム前に配置される基準サブフレームにおいて、チャネル／干渉測定モジュール１７１２によって測定される。そのような態様では、第２の事例によれば、干渉は、フレキシブルサブフレームである基準サブフレームのタイプに基づいて、チャネル／干渉測定モジュール１７１２によって測定され得、チャネルは、固定サブフレームであるＡ−ＣＳＩ要求ダウンリンクサブフレームのタイプに基づいて測定される。
【００８８】
[00103]一態様では、基準サブフレームは、報告遅延が４つのサブフレームよりも大きく、Ａ−ＣＳＩ報告アップリンクサブフレームより４サブフレーム前に配置されるサブフレームがアップリンクサブフレームまたはＭＢＳＦＮサブフレームであるとき、Ａ−ＣＳＩ要求ダウンリンクサブフレームに対応する。そのような態様では、チャネルおよび干渉は、固定サブフレームであるＡ−ＣＳＩ要求ダウンリンクサブフレームのタイプに基づいて、チャネル／干渉測定モジュール１７１２によって測定される。
【００８９】
[00104]一態様では、基準サブフレームモジュール１７１０は、Ａ−ＣＳＩ報告アップリンクサブフレームと報告遅延とに基づいて、第２のチャネルまたは第２の干渉のうちの少なくとも１つを測定することを決定する。基準サブフレームモジュール１７１０は、Ａ−ＣＳＩ要求ダウンリンクサブフレームに基づいて第２の基準サブフレームのロケーションを決定する。チャネル／干渉測定モジュール１７１２は、第２の基準サブフレームに基づいて第２のチャネルまたは第２の干渉のうちの少なくとも１つを測定し、ここで、第２の基準サブフレームに関する情報は、１７６８において基準サブフレームモジュール１７１０から受信される。一態様では、１７７２においてＡ−ＣＳＩ報告管理モジュール１７１４を介しておよび１７７４において送信モジュール１７０６を介してＡ−ＣＳＩ報告アップリンクサブフレームにおいて送られたＡ−ＣＳＩ報告は、チャネルまたは干渉のうちの少なくとも１つと、第２のチャネルまたは第２の干渉のうちの少なくとも１つとに基づくＣＱＩを含む。一態様では、第２のチャネルまたは第２の干渉のうちの少なくとも１つを測定することの決定は、Ａ−ＣＳＩ要求ダウンリンクサブフレームのロケーションにさらに基づく。
【００９０】
[00105]一態様では、報告遅延が４つのサブフレームよりも大きく、Ａ−ＣＳＩ報告アップリンクサブフレームより４サブフレーム前に配置されるサブフレームがダウンリンクサブフレームであるとき、基準遅延は４つのサブフレームに対応し、第２の基準サブフレームはＡ−ＣＳＩ要求ダウンリンクサブフレームである。そのような態様では、あるシナリオによれば、チャネルおよび干渉は、フレキシブルサブフレームである基準サブフレームのタイプに基づいて、チャネル／干渉測定モジュール１７１２によって測定され得、第２のチャネルおよび第２の干渉は、固定サブフレームである第２の基準サブフレームのタイプに基づいて、チャネル／干渉測定モジュール１７１２によって測定され、第２の基準サブフレームはＡ−ＣＳＩ要求ダウンリンクサブフレームに対応する。そのような態様では、別のシナリオによれば、干渉は、フレキシブルサブフレームである基準サブフレームのタイプに基づいて、チャネル／干渉測定モジュール１７１２によって測定され得、チャネルは、固定サブフレームであるＡ−ＣＳＩ要求ダウンリンクサブフレームのタイプに基づいて、チャネル／干渉測定モジュール１７１２によって測定され、第２のチャネルおよび第２の干渉は、固定サブフレームである第２の基準サブフレームのタイプに基づいて、チャネル／干渉測定モジュール１７１２によって測定され、第２の基準サブフレームはＡ−ＣＳＩ要求ダウンリンクサブフレームに対応する。
【００９１】
[00106]本装置は、図１５および図１６の上述のフローチャート中のアルゴリズムのステップの各々を実行する追加のモジュールを含み得る。したがって、図１５および図１６の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９２】
[00107]図１８は、処理システム１８１４を採用する装置１７０２’のためのハードウェア実装の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアモジュールと、モジュール１７０４、１７０６、１７０８、１７１０、１７１２、１７１４と、コンピュータ可読媒体／メモリ１８０６とを含む様々な回路を互いに接続する。バス１８２４はまた、タイミングソース、周辺機器、電圧調整器、および電力管理回路など、様々な他の回路を接続し得るが、これらの回路は当技術分野においてよく知られており、したがって、これ以上説明しない。
【００９３】
[00108]処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信モジュール１７０４に与える。さらに、トランシーバ１８１０は、処理システム１８１４、特に送信モジュール１７０６から情報を受信し、受信された情報に基づいて、１つまたは複数のアンテナ１８２０に適用されることになる信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明した様々な機能を実行させる。コンピュータ可読媒体／メモリ１８０６はまた、ソフトウェアを実行するときにプロセッサ１８０４によって操作されるデータを記憶するために使用され得る。処理システムは、モジュール１７０４、１７０６、１７０８、１７１０、１７１２、および１７１４のうちの少なくとも１つをさらに含む。それらのモジュールは、プロセッサ１８０４中で動作するか、コンピュータ可読媒体／メモリ１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００９４】
[00109]一構成では、ワイヤレス通信のための装置１７０２／１７０２’は、非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定するための手段を含む。一態様では、基準遅延は、Ａ−ＣＳＩ報告アップリンクサブフレームの前の第１の遅延値であり、報告遅延は、Ａ−ＣＳＩ要求ダウンリンクサブフレームとＡ−ＣＳＩ報告アップリンクサブフレームとの間の第２の遅延値である。装置１７０２／１７０２’は、基準サブフレームのロケーションとサブフレーム構成とに基づいて基準サブフレームのタイプを決定するための手段を含み、基準サブフレームのタイプはフレキシブルサブフレームまたは固定サブフレームである。装置１７０２／１７０２’は、基準サブフレームと基準サブフレームのタイプとに基づいてチャネルまたは干渉のうちの少なくとも１つを測定するための手段を含む。装置１７０２／１７０２’は、Ａ−ＣＳＩ報告アップリンクサブフレームにおいて、チャネルまたは干渉のうちの少なくとも１つに基づくＡ−ＣＳＩ報告を送るための手段を含む。
【００９５】
[00110]装置１７０２／１７０２’は、Ａ−ＣＳＩ報告アップリンクサブフレームと報告遅延とに基づいて、第２のチャネルまたは第２の干渉のうちの少なくとも１つを測定することを決定するための手段と、Ａ−ＣＳＩ要求ダウンリンクサブフレームに基づいて第２の基準サブフレームのロケーションを決定するための手段と、第２の基準サブフレームに基づいて第２のチャネルまたは第２の干渉のうちの少なくとも１つを測定するための手段とをさらに含み得る。
【００９６】
[00111]上述の手段は、上述の手段によって具陳された機能を実行するように構成された、装置１７０２、および／または装置１７０２’の処理システム１８１４の上述のモジュールのうちの１つまたは複数であり得る。上記で説明したように、処理システム１８１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【００９７】
[00112]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９８】
[00113]以上の説明は、当業者が本明細書で説明した様々な態様を実施することができるように与えられた。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
時分割複信（ＴＤＤ）ロングタームエボリューション（ＬＴＥ）ベースのネットワークにおけるワイヤレス通信の方法であって、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
を備える、方法。
［Ｃ２］
前記基準サブフレームは、前記Ａ−ＣＳＩ報告アップリンクサブフレームよりいくつかのサブフレーム前に配置され、前記いくつかのサブフレームは、前記第１の遅延値または前記第２の遅延値のいずれかに基づく、Ｃ１に記載の方法。
［Ｃ３］
前記基準遅延の前記第１の遅延値は４つのサブフレームに対応する、Ｃ２に記載の方法。
［Ｃ４］
前記チャネルおよび前記干渉は、前記報告遅延が４つのサブフレームに対応するとき、前記基準サブフレームにおいて測定され、前記基準サブフレームは、前記Ａ−ＣＳＩ要求ダウンリンクサブフレームに対応する、Ｃ１に記載の方法。
［Ｃ５］
前記チャネルおよび干渉は、前記固定サブフレームである前記基準サブフレームの前記タイプに基づいて測定される、Ｃ４に記載の方法。
［Ｃ６］
前記基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ報告アップリンクサブフレームより４サブフレーム前に配置される、Ｃ１に記載の方法。
［Ｃ７］
前記チャネルおよび干渉は、前記フレキシブルサブフレームである前記基準サブフレームの前記タイプに基づいて測定される、Ｃ６に記載の方法。
［Ｃ８］
前記チャネルは、前記Ａ−ＣＳＩ要求ダウンリンクサブフレームにおいて測定され、前記干渉は、前記Ａ−ＣＳＩ報告アップリンクサブフレームより４サブフレーム前に配置される前記基準サブフレームにおいて測定される、Ｃ６に記載の方法。
［Ｃ９］
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定される、Ｃ８に記載の方法。
［Ｃ１０］
前記基準サブフレームは、前記報告遅延が４つのサブフレームよりも大きく、前記Ａ−ＣＳＩ報告アップリンクサブフレームより４サブフレーム前に配置されるサブフレームがアップリンクサブフレームまたはマルチキャストブロードキャスト単一周波数ネットワーク（ＭＢＳＦＮ）サブフレームであるとき、前記Ａ−ＣＳＩ要求ダウンリンクサブフレームに対応する、Ｃ１に記載の方法。
［Ｃ１１］
前記チャネルおよび干渉は、固定サブフレームである前記Ａ−ＣＳＩ要求ダウンリンクサブフレームの前記タイプに基づいて測定される、Ｃ１０に記載の方法。
［Ｃ１２］
前記Ａ−ＣＳＩ報告アップリンクサブフレームと前記報告遅延とに基づいて第２のチャネルまたは第２の干渉のうちの少なくとも１つを測定することを決定することと、
前記Ａ−ＣＳＩ要求ダウンリンクサブフレームに基づいて第２の基準サブフレームのロケーションを決定することと、
前記第２の基準サブフレームに基づいて前記第２のチャネルまたは前記第２の干渉のうちの少なくとも１つを測定することと
をさらに備える、Ｃ１に記載の方法。
［Ｃ１３］
前記第２のチャネルまたは前記第２の干渉のうちの前記少なくとも１つを測定することの前記決定は、前記Ａ−ＣＳＩ要求ダウンリンクサブフレームのロケーションにさらに基づく、Ｃ１２に記載の方法。
［Ｃ１４］
前記Ａ−ＣＳＩ報告アップリンクサブフレームにおいて送られた前記Ａ−ＣＳＩ報告は、前記チャネルまたは前記干渉のうちの前記少なくとも１つと、前記第２のチャネルまたは前記第２の干渉のうちの前記少なくとも１つとに基づくチャネル品質インジケータ（ＣＱＩ）を含む、Ｃ１２に記載の方法。
［Ｃ１５］
前記基準遅延は、４つのサブフレームに対応し、前記第２の基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ要求ダウンリンクサブフレームである、Ｃ１２に記載の方法。
［Ｃ１６］
前記チャネルおよび前記干渉は、前記フレキシブルサブフレームである前記基準サブフレームの前記タイプに基づいて測定され、前記第２のチャネルおよび前記第２の干渉は、前記固定サブフレームである前記第２の基準サブフレームのタイプに基づいて測定され、前記第２の基準サブフレームは、前記Ａ−ＣＳＩ要求ダウンリンクサブフレームに対応する、Ｃ１５に記載の方法。
［Ｃ１７］
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定され、前記第２のチャネルおよび前記第２の干渉は、前記固定サブフレームである前記第２の基準サブフレームに基づいて測定され、前記第２の基準サブフレームは、前記Ａ−ＣＳＩ要求ダウンリンクサブフレームに対応する、Ｃ１５に記載の方法。
［Ｃ１８］
時分割複信（ＴＤＤ）ロングタームエボリューション（ＬＴＥ）ベースのネットワークにおけるワイヤレス通信のための装置であって、
メモリと、
前記メモリに結合された少なくとも１つのプロセッサと
を備え、
前記少なくとも１つのプロセッサは、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
を行うように構成された、装置。
［Ｃ１９］
前記基準サブフレームは、前記Ａ−ＣＳＩ報告アップリンクサブフレームよりいくつかのサブフレーム前に配置され、前記いくつかのサブフレームは、前記第１の遅延値または前記第２の遅延値のいずれかに基づく、Ｃ１８に記載の装置。
［Ｃ２０］
前記チャネルおよび前記干渉は、前記報告遅延が４つのサブフレームに対応するとき、前記基準サブフレームにおいて測定され、前記基準サブフレームは、前記Ａ−ＣＳＩ要求ダウンリンクサブフレームに対応する、Ｃ１８に記載の装置。
［Ｃ２１］
前記チャネルおよび干渉は、前記固定サブフレームである前記基準サブフレームの前記タイプに基づいて測定される、Ｃ２０に記載の装置。
［Ｃ２２］
前記基準サブフレームは、前記報告遅延が４つのサブフレームよりも大きく、前記Ａ−ＣＳＩ報告アップリンクサブフレームより４サブフレーム前に配置されるサブフレームがダウンリンクサブフレームであるとき、前記Ａ−ＣＳＩ報告アップリンクサブフレームより４サブフレーム前に配置される、Ｃ１８に記載の装置。
［Ｃ２３］
前記チャネルおよび干渉は、前記フレキシブルサブフレームである前記基準サブフレームの前記タイプに基づいて測定される、Ｃ２２に記載の装置。
［Ｃ２４］
前記チャネルは、前記Ａ−ＣＳＩ要求ダウンリンクサブフレームにおいて測定され、前記干渉は、前記Ａ−ＣＳＩ報告アップリンクサブフレームより４サブフレーム前に配置される前記基準サブフレームにおいて測定される、Ｃ２２に記載の装置。
［Ｃ２５］
前記干渉は、前記フレキシブルサブフレームである前記基準サブフレームの前記タイプに基づいて測定され、前記チャネルは、前記固定サブフレームである前記Ａ−ＣＳＩ要求ダウンリンクサブフレームの前記タイプに基づいて測定される、Ｃ２４に記載の装置。
［Ｃ２６］
前記基準サブフレームは、前記報告遅延が４つのサブフレームよりも大きく、前記Ａ−ＣＳＩ報告アップリンクサブフレームより４サブフレーム前に配置されるサブフレームがアップリンクサブフレームまたはマルチキャストブロードキャスト単一周波数ネットワーク（ＭＢＳＦＮ）サブフレームであるとき、前記Ａ−ＣＳＩ要求ダウンリンクサブフレームに対応する、Ｃ１８に記載の装置。
［Ｃ２７］
前記チャネルおよび干渉は、固定サブフレームである前記Ａ−ＣＳＩ要求ダウンリンクサブフレームの前記タイプに基づいて測定される、Ｃ２６に記載の装置。
［Ｃ２８］
前記少なくとも１つのプロセッサは、
前記Ａ−ＣＳＩ報告アップリンクサブフレームと前記報告遅延とに基づいて第２のチャネルまたは第２の干渉のうちの少なくとも１つを測定することを決定することと、
前記Ａ−ＣＳＩ要求ダウンリンクサブフレームに基づいて第２の基準サブフレームのロケーションを決定することと、
前記第２の基準サブフレームに基づいて前記第２のチャネルまたは前記第２の干渉のうちの少なくとも１つを測定することと
を行うようにさらに構成された、Ｃ１８に記載の装置。
［Ｃ２９］
時分割複信（ＴＤＤ）ロングタームエボリューション（ＬＴＥ）ベースのネットワークにおけるワイヤレス通信のための装置であって、
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定するための手段と、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定するための手段と、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定するための手段と、
前記Ａ−ＣＳＩ報告アップリンクサブフレームにおいて、前記チャネルまたは前記干渉のうちの前記少なくとも１つに基づくＡ−ＣＳＩ報告を送るための手段と
を備える、装置。
［Ｃ３０］
非周期チャネル状態情報（Ａ−ＣＳＩ）報告アップリンクサブフレームと、Ａ−ＣＳＩ要求ダウンリンクサブフレームと、基準遅延と、報告遅延とに基づいて、基準サブフレームのロケーションを決定することと、ここにおいて、前記基準遅延は、前記Ａ−ＣＳＩ報告アップリンクサブフレームの前の第１の遅延値であり、前記報告遅延は、前記Ａ−ＣＳＩ要求ダウンリンクサブフレームと前記Ａ−ＣＳＩ報告アップリンクサブフレームとの間の第２の遅延値である、
前記基準サブフレームの前記ロケーションとサブフレーム構成とに基づいて前記基準サブフレームのタイプを決定することと、前記基準サブフレームの前記タイプはフレキシブルサブフレームまたは固定サブフレームである、
前記基準サブフレームと前記基準サブフレームの前記タイプとに基づいてチャネルまたは干渉のうちの少なくとも１つを測定することと、
前記Ａ−ＣＳＩ報告アップリンクサブフレームにおいて、前記チャネルまたは前記干渉のうちの前記少なくとも１つに基づくＡ−ＣＳＩ報告を送ることと
を行うためのコードを備える、コンピュータ実行可能コードを記憶するコンピュータ可読媒体。
【図１】
0006400716.tif 000004
【図２】
0006400716.tif 000005
【図３】
0006400716.tif 000006
【図４】
0006400716.tif 000007
【図５】
0006400716.tif 000008
【図６】
0006400716.tif 000009
【図７】
0006400716.tif 000010
【図８】
0006400716.tif 000011
【図９】
0006400716.tif 000012
【図１０】
0006400716.tif 000013
【図１１Ａ】
0006400716.tif 000014
【図１１Ｂ】
0006400716.tif 000015
【図１１Ｃ】
0006400716.tif 000016
【図１２Ａ】
0006400716.tif 000017
【図１２Ｂ】
0006400716.tif 000018
【図１２Ｃ】
0006400716.tif 000019
【図１３Ａ】
0006400716.tif 000020
【図１３Ｂ】
0006400716.tif 000021
【図１３Ｃ】
0006400716.tif 000022
【図１４Ａ】
0006400716.tif 000023
【図１４Ｂ】
0006400716.tif 000024
【図１４Ｃ】
0006400716.tif 000025
【図１５】
0006400716.tif 000026
【図１６】
0006400716.tif 000027
【図１７】
0006400716.tif 000028
【図１８】
0006400716.tif 000029